【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
第１のユーザと第２のユーザとの位置関係を示す情報を取得する位置関係情報取得部と、
前記位置関係を示す情報に基づいて、前記第１のユーザと前記第２のユーザとが近接しているか否かを判定する近接判定部と、
前記判定の結果に基づいて、前記第１のユーザに提供される、前記第２のユーザの連絡先を含む連絡先リストをソートするための情報を生成する連絡先管理部と
を備える情報処理装置。
【請求項２】
前記位置関係情報取得部は、前記第１のユーザの位置を示す第１の位置情報と、前記第２のユーザの位置を示す第２の位置情報とを取得し、
前記近接判定部は、前記第１のユーザの位置と前記第２のユーザの位置との間の距離に基づいて、前記第１のユーザと前記第２のユーザとが近接しているか否かを判定する、請求項１に記載の情報処理装置。
【請求項３】
前記位置関係情報取得部は、前記第１の位置情報および前記第２の位置情報のうち少なくとも一方をネットワーク上の位置情報共有サービスから取得する通信部を含む、請求項２に記載の情報処理装置。
【請求項４】
前記位置関係情報取得部は、前記第１のユーザが保持する第１の端末装置と、前記第２のユーザが保持する第２の端末装置との間の近距離通信の結果を取得し、
前記近接判定部は、前記近距離通信の結果に基づいて、前記第１のユーザと前記第２のユーザとが近接しているか否かを判定する、請求項１に記載の情報処理装置。
【請求項５】
前記位置関係情報取得部は、前記第１の端末装置から送信される問い合わせに対する前記第２の端末装置からの応答を取得し、
前記近接判定部は、前記応答が取得された場合に、前記第１のユーザと前記第２のユーザとが近接していると判定する、請求項４に記載の情報処理装置。
【請求項６】
前記問い合わせは、ソーシャルネットワークサービスにおいて前記第１のユーザを特定する情報を含み、
前記応答は、前記問い合わせが前記第２の端末装置に受信され、かつ前記ソーシャルネットワークサービスにおいて前記第１のユーザと前記第２のユーザとが友人関係を有する場合に前記第２の端末装置から送信される、請求項５に記載の情報処理装置。
【請求項７】
前記近接判定部は、前記第１のユーザと前記第２のユーザとが近接しているか否かを定期的に判定する、請求項１〜６のいずれか１項に記載の情報処理装置。
【請求項８】
前記連絡先管理部は、前記定期的な判定の結果に基づいて、前記第１のユーザと前記第２のユーザとが近接していた時間がより長い場合に、前記第２のユーザの順位がより高くなるように前記連絡先リストをソートするための情報を生成する、請求項７に記載の情報処理装置。
【請求項９】
前記連絡先管理部は、前記第１のユーザの設定に従って、前記第１のユーザと前記第２のユーザとが近接していた時間の重みづけを時間帯ごとに変化させる、請求項８に記載の情報処理装置。
【請求項１０】
前記連絡先管理部は、前記定期的な判定の結果に基づいて、前記第１のユーザと前記第２のユーザとが近接する時間帯を推定し、現在時刻が前記時間帯の前の時間帯にあたる場合に、前記第２のユーザの順位がより高くなるように前記連絡先リストをソートするための情報を生成する、請求項７〜９のいずれか１項に記載の情報処理装置。
【請求項１１】
前記定期的な判定の結果に基づいて、前記第１のユーザと前記第２のユーザとが近接する時間帯を推定し、共通する第１の時間帯に前記第１のユーザに近接する前記第２のユーザを前記連絡先リスト上で第１のグループに分類するグループ管理部をさらに備える、請求項７〜１０のいずれか１項に記載の情報処理装置。
【請求項１２】
前記近接判定部は、前記連絡先リストが前記第１のユーザに提供される時に前記第１のユーザと前記第２のユーザとが近接しているか否かを判定し、
前記連絡先管理部は、前記連絡先リストが前記第１のユーザに提供される時が前記第１の時間帯にあたり、かつ前記第１のグループに分類される前記第２のユーザが前記第１のユーザに近接していない場合に、該第２のユーザの順位がより高くなるように前記連絡先リストをソートするための情報を生成する、請求項１１に記載の情報処理装置。
【請求項１３】
前記定期的な判定の結果に基づいて、前記第１のユーザと前記第２のユーザとが近接する場所を推定し、共通する第２の場所で前記第１のユーザに近接する前記第２のユーザを前記連絡先リスト上で第２のグループに分類するグループ管理部をさらに備える、請求項７〜１２のいずれか１項に記載の情報処理装置。
【請求項１４】
前記定期的な判定の結果に基づいて、前記第２のユーザを前記連絡先リスト上でグループに分類し、前記連絡先リストに連絡先が含まれる前記第２のユーザ以外のユーザを、前記第１のユーザの操作に従って前記グループに分類するグループ管理部をさらに備える、請求項７〜１３のいずれか１項に記載の情報処理装置。
【請求項１５】
前記近接判定部は、前記連絡先リストが前記第１のユーザに提供される時に前記第１のユーザと前記第２のユーザとが近接しているか否かを判定する、請求項１〜１４のいずれか１項に記載の情報処理装置。
【請求項１６】
前記連絡先管理部は、前記連絡先リストが前記第１のユーザに提供される時に前記第１のユーザと前記第２のユーザとが近接している場合に、前記第２のユーザがより低くなる、または前記第２のユーザが表示されないように前記連絡先リストをソートするための情報を生成する、請求項１５に記載の情報処理装置。
【請求項１７】
前記近接判定部は、前記第１のユーザと前記第２のユーザとが、第１の距離以上で近接しているか、前記第１の距離未満で近接しているかを判定し、
前記連絡先管理部は、前記第１のユーザと前記第２のユーザとが前記第１の距離以上で近接している場合に前記第２のユーザの順位がより高くなるように前記連絡先リストをソートし、前記第１のユーザと前記第２のユーザとが前記第１の距離未満で近接している場合に前記第２のユーザの順位がより低くなる、または前記第２のユーザが表示されないように前記連絡先リストをソートするための情報を生成する、請求項１５または１６に記載の情報処理装置。
【請求項１８】
前記判定の結果に基づいて、前記第１のユーザに近接している前記第２のユーザを前記連絡先リスト上で第１のグループに分類するグループ管理部をさらに備える、請求項１５に記載の情報処理装置。
【請求項１９】
第１のユーザと第２のユーザとの位置関係を示す情報を取得することと、
前記位置関係を示す情報に基づいて、前記第１のユーザと前記第２のユーザとが近接しているか否かを判定することと、
前記判定の結果に基づいて、前記第１のユーザに提供される、前記第２のユーザの連絡先を含む連絡先リストをソートするための情報を生成することと
を含む情報処理方法。
【請求項２０】
第１のユーザと第２のユーザとの位置関係を示す情報を取得する機能と、
前記位置関係を示す情報に基づいて、前記第１のユーザと前記第２のユーザとが近接しているか否かを判定する機能と、
前記判定の結果に基づいて、前記第１のユーザに提供される、前記第２のユーザの連絡先を含む連絡先リストをソートするための情報を生成する機能と
をコンピュータに実現させるためのプログラム。
【手続補正２】
【補正対象書類名】明細書
【補正対象項目名】０００７
【補正方法】変更
【補正の内容】
【０００７】
本開示によれば、第１のユーザと第２のユーザとの位置関係を示す情報を取得する位置関係情報取得部と、上記位置関係を示す情報に基づいて、上記第１のユーザと上記第２のユーザとが近接しているか否かを判定する近接判定部と、上記判定の結果に基づいて、上記第１のユーザに提供される、上記第２のユーザの連絡先を含む連絡先リストをソートするための情報を生成する連絡先管理部とを含む情報処理装置が提供される。
【手続補正３】
【補正対象書類名】明細書
【補正対象項目名】０００８
【補正方法】変更
【補正の内容】
【０００８】
また、本開示によれば、第１のユーザと第２のユーザとの位置関係を示す情報を取得することと、上記位置関係を示す情報に基づいて、上記第１のユーザと上記第２のユーザとが近接しているか否かを判定することと、上記判定の結果に基づいて、上記第１のユーザに提供される、上記第２のユーザの連絡先を含む連絡先リストをソートするための情報を生成することとを含む情報処理方法が提供される。
【手続補正４】
【補正対象書類名】明細書
【補正対象項目名】０００９
【補正方法】変更
【補正の内容】
【０００９】
また、本開示によれば、第１のユーザと第２のユーザとの位置関係を示す情報を取得する機能と、上記位置関係を示す情報に基づいて、上記第１のユーザと上記第２のユーザとが近接しているか否かを判定する機能と、上記判定の結果に基づいて、上記第１のユーザに提供される、上記第２のユーザの連絡先を含む連絡先リストをソートするための情報を生成する機能とをコンピュータに実現させるためのプログラムが提供される。
【手続補正５】
【補正対象書類名】明細書
【補正対象項目名】００５２
【補正方法】変更
【補正の内容】
【００５２】
通信部１４３は、有線または無線の各種通信方式を用いて、端末装置１１０および端末装置１３０と通信する。通信部１４３は、例えば、ユーザＵ２の位置情報を端末装置１３０から受信する。また、通信部１４３は、ユーザＵ２の位置情報の要求を端末装置１１０から受信し、これに応じてユーザＵ２の位置情報を端末装置１１０に送信する。付加的に、通信部１４３は、ユーザＵ２の位置情報の要求を端末装置１３０に送信し、要求に応じて提供されるユーザＵ２の位置情報を受信してもよい。
【手続補正６】
【補正対象書類名】明細書
【補正対象項目名】０１１５
【補正方法】変更
【補正の内容】
【０１１５】
端末装置４２０は、上記の第３の実施形態における端末装置３１０と同様の構成を有しうる。ただし、端末装置４２０は、連絡先管理部３１４、およびグループ管理部３１５に相当する機能を有さない。これらの機能は、連絡先管理サーバ４１０によって実現される。
【手続補正７】
【補正対象書類名】明細書
【補正対象項目名】０１１８
【補正方法】変更
【補正の内容】
【０１１８】
なお、連絡先管理サービスの利点や、連絡先管理サーバ４１０とＳＮＳサーバ４４０との関係などについては、上記の第２の実施形態における連絡先管理サーバ２１０とＳＮＳサーバ２４０との関係と同様であるため、詳細な説明を省略する。